(57)【要約】      （修正有）【課題】握力に抗する抵抗力の調整可能なグリッパーを提供する。【解決手段】第一ハンドル１０と第二ハンドル２０、調整座３０、調整スクリュー及びバネ５０を有する抵抗調整可能のグリッパーであって、第一ハンドルの下部において、ハンドル部１１が伸び、ハンドル部１１の上方に、枢着部２２，１２が設けられ、内面の上段に、収納室が形成され、第二ハンドルの下段において、ハンドル部２１が伸び、ハンドル部２１の上方に、枢着部１２，２２が設けられ、内面の上段に、可動槽が形成され、上記可動槽の周縁において、二つの対称する位置に、それぞれ、制限部が設置され、ハンドル部の両側の表面において、所定の位置に、可動槽に連通する実装孔２５が形成され、実装孔２５において、可動槽に対向する位置に、退避部が設置され、調整座に、回動部が設けられ、回動部の中央に、ネジ穴が形成され、調整スクリューに、基座が設置され、基座の一側に、ネジ杆が伸び、もう一側に、嵌設棒が設置され、外周において、二つの対称する位置に、それぞれ、制限部が設けられる。【選択図】図１
0003159584.tif 000002
【実用新案登録請求の範囲】
【請求項１】
第一ハンドルと第二ハンドル、調整座、調整スクリュー及びバネを有する抵抗調整可能なグリッパーであって、
第一ハンドルの下部が延伸してハンドル部を形成し、ハンドル部の上方に枢着部が設けられ、内面の上部に、収納室が形成され、
第二ハンドルの下部が延伸してハンドル部を形成し、ハンドル部の上方に、枢着部が設けられ、内面の上部に可動槽が形成され、上記可動槽の周縁において、二つの対称する位置に、それぞれ、制限部が設置され、ハンドル部の両側の表面におて、所定の位置に、可動槽に連通する実装孔が形成され、実装孔において、可動槽に対向する位置に、退避部が設置され、
調整座に、回動部が設けられ、回動部の中央に、ネジ孔が形成され、
調整スクリューに、基座が設置され、基座の一側が延伸してネジ杆を形成し、他側に、嵌設棒が設置され、外周において、二つの対称する位置に、それぞれ、制限部が設けられることを特徴とする抵抗調整可能なグリッパー。
【請求項２】
第二ハンドルの制限部が、制限溝であり、調整スクリュー上の制限部が、それにあわせる制限ブロックであることを特徴とする請求項１に記載の抵抗調整可能なグリッパー。
【考案の詳細な説明】
【技術分野】
【０００１】
本考案は、身体と筋肉特に握力を鍛えるグリッパーに関するものであり、さらに詳しくは、握力強化用グリッパーであって、特に、握力に抗する抵抗力の調整可能なグリッパーに関するものである。
【背景技術】
【０００２】
従来のグリッパーは、所定の太さを有し弾発力が一定のバネが、固定的に設置されているため、異なる弾発力で、握力を鍛える場合、異なる弾発力を有するグリッパーを使用しなければならず、複数のグリッパーを必要とするため、使用上、煩雑であり、購入コストも高額となり、また、保管スペースを必要とするなど利便性に欠ける状態にあった。
【０００３】
かかる状況下にあって、握力強化用グリッパーとしては各種の形態のものが提案されており、例えば、特許文献１によれば、スプリングの弾発力に抗して握力を付与した後、握力を緩める際にスプリングの弾発力によってグリップが急激に開くことを防止する構造についての提案がされているが、握力に抗する抵抗力を任意に調整するような構造については開示されていない。
【特許文献１】特開平１０−１７９７９４号
【考案の開示】
【考案が解決しようとする課題】
【０００４】
従って、本考案の課題は、握力に抗する力を任意に調整可能な抵抗調整可能な握力強化用グリッパーを提供する点にある。
【課題を解決するための手段】
【０００５】
そこで、本考案者は、前記の本考案の課題を解決するために鋭意検討を重ねた結果、後述するように調整座の回転により握力に抗するバネの弾発による抵抗力を変化させることが可能な構造に着目し、かかる知見に基いて本考案に想到するに至った。
【０００６】
すなわち、本考案の主な目的は、調整座を回転することにより、抵抗が変更され、異なるユーザーが使用する場合や、同一のユーザーが異なる弾発力で使用する場合、異なる弾発力を調整して、握力を鍛えることができ、また、構造が簡単で、組立てが容易である利点を有する抵抗調整可能のグリッパーを提供することにある。
【０００７】
また、本考案の他の目的は、購入コストが低く、保管スペースを節約できる抵抗調整可能なグリッパーを提供することにある。
【０００８】
かくして、本考案によれば、
請求項１において、
第一ハンドルと第二ハンドル、調整座、調整スクリュー及びバネを有する抵抗調整可能なグリッパーであって、
第一ハンドルの下部が延伸してハンドル部を形成し、ハンドル部の上方に、枢着部が設けられ、内面の上部に、収納室が形成され、
第二ハンドルの下部が延伸してハンドル部を形成し、ハンドル部の上方に、枢着部が設けられ、内面の上部に、可動槽が形成され、上記可動槽の周縁において、二つの対称する位置に、それぞれ、制限部が設置され、ハンドル部の両側の表面におて、所定の位置に、可動槽に連通する実装孔が形成され、実装孔において、可動槽に対向する位置に、退避部が設置され、
調整座に、回動部が設けられ、回動部の中央に、ネジ孔が形成され、
調整スクリューに、基座が設置され、基座の一側が延伸してネジ杆を形成し、他側に、嵌設棒が設置され、外周において、二つの対称する位置に、それぞれ、制限部が設けられることを特徴とする抵抗調整可能なグリッパーが提供される。
【０００９】
請求項２の考案によれば、第二ハンドルの制限部が、制限溝であり、調整スクリュー上の制限部が、それにあわせる制限ブロックであることを特徴とする請求項１に記載の抵抗調整可能なグリッパーが提供される。
【考案の効果】
【００１０】
本考案によれば、前記の如き構成により、握力に抗する抵抗力を任意に調整することができ、身体の状態特に握力の強さに応じて適格に調整することができる。また、構造が簡単であり、組立ても容易である。
【考案を実施するための最良の形態】
【００１１】
以下、図面を参照しながら、本考案の特徴及び技術内容について、詳しく説明する。 
【００１２】
もっとも、それらの図面等は、参考や説明のためのものであり、本考案は、それらによって限定されるものではない。
【００１３】
図１及び図２に示すように、本考案に係るグリッパーは、第一ハンドル１０と第二ハンドル２０、調整座３０、調整スクリュー４０及びバネ５０を有するものである。第一ハンドル１０の下部が延伸して、ハンドル部１１を形成し、また、ハンドル部１１の上方に、枢着部１２が設けられ、内面の上段に、収納室１３を形成してある。第二ハンドル２０の下部が延伸し、ハンドル部２１を形成する。ハンドル部２１の上方に、枢着部２２が設けられ、内面の上段に、可動槽２３が形成され、上記可動溝２３の周縁において、二つの対称する位置に、それぞれ、制限溝２４を形成してある。また、ハンドル部２１の両側の表面において、所定の位置に、可動槽２３に連通する実装孔２５が形成され、実装孔２５において、可動槽２３に対向する位置に、退避部２６が形成され、調整座３０に、回動部３１を設けてある。回動部３１の中央に、ネジ孔３２が形成され、調整スクリュー４０に、基座４１が設置され、基座４１の一側に、ネジ杆４２が伸び、他側に、嵌設棒４３が設置され、外周において、二つの対称位置に、それぞれ、突出した制限ブロック４４が設けられてある。
【００１４】
本考案によれば、図１及び図３に示すように、第一ハンドル１０と第二ハンドル２０とを、枢着部１２、２２に枢着軸を嵌設することにより、結合してある。また、ネジ孔３２と可動槽２３とが対向するように、調整座３０が、実装孔２５から嵌設され、調整スクリュー４０が、制限ブロック４４と制限溝２４との係合により、ネジ杆４２で、第二ハンドル２０の可動槽２３に設置されて、調整座３０と同期に回転でき、ネジ杆４２が、調整座３０のネジ孔３２に螺着される。また、調整スクリュー４０が、制限ブロック４４により、制限溝２４に係止されて制限されるため、可動槽２３内でしか変位できないので、回転できなくなり、最後に、バネ５０が、第一ハンドル１０と第二ハンドル２０との対向する内側の間に設置され、バネ５０は、一端が、収納室１３までに延伸し、当接して固定され、他端が、基座４１に当接するように、嵌設棒４３に嵌設され、上記の構造により、抵抗調整可能のグリッパーが構成される。
【００１５】
本考案に係るグリッパーによれば、図４に示すように、使用する場合、片手で、直接に、第一ハンドル１０と第二ハンドル２０のハンドル部１１、２１を握って、力を加えると、第一ハンドル１０と第二ハンドル２０とが、少しずつ距離が縮んで、第一、二ハンドル１０、２０の間にあるバネ５０が、相対的に圧縮され、上記の圧縮されたことにより発生したバネ５０の弾発力により、握力が鍛えられる。
【００１６】
また、本考案によれば、図５及び図６に示すように、異なる弾発力で握力を鍛える場合、或いは、異なるユーザーが、異なる弾発力で握力を鍛える場合、実装孔２５から突出した回動部３１を操作し、調整座３０が連動して回転すると、それに螺合された調整スクリュー４０が、制限溝２４と制限ブロック４４との係合により、連動して回転せず、その回転する運動エネルギーが、直接に、変位力に変換され、調整スクリュー４０全体が、やや、可動槽２３から外方向へ変位するか、奥へ変位することになり、上記の変位により、第一、二ハンドル１０、２０のピッチが変化し、そのため、異なる程度の抵抗が発生する。即ち、第一、二ハンドル１０、２０の間の距離が大きければ、握る手を、相対的に広くしなければならなく、力を加えることが難しくなり、逆に、第一、二ハンドル１０、２０の間の距離が小さければ、グリッパーを握ることが、より容易になり、より小さい力で済むことになる。本考案によれば、同一のグリッパーは、握力の大きさを調整することができ、一つのグリッパーで、異なる弾発力で、握力を鍛えることができる。
【００１７】
上記の具体的な実施例によれば、次の利点が得られ、
１．調整座３０を回転することで、握力に抗する抵抗力を変化させることができ、異なるユーザーが、或いは、同一の人が異なる段階で、身体を鍛える場合、異なるバネの弾発力を設定することができ、また、握力を調整できるだけでなく、構造が簡単で、組立てが容易である利点が得られる。
２．同一のグリッパーは、異なる強度で、利用できるため、使用する時、単一のグリッパーで、異なる段階の訓練を行なうことができるので、購入コストを節約でき、保管するスペースが小さい空間で済むという利点が得られる。
【図面の簡単な説明】
【００１８】
【図１】本考案の一実施形態によるグリッパーの斜視図である。
【図２】本考案の一実施形態によるグリッパーの分解斜視図である。
【図３】本考案の一実施形態によるグリッパーの断面図である。
【図４】本考案の一実施形態によるグリッパーの使用状態を示す断面図である。
【図５】本考案の一実施形態によるグリッパーの調整状態を示す断面図である。
【図６】本考案の一実施形態によるグリッパーの調整後の使用状態を示す断面図である。
【符号の説明】
【００１９】
１０  第一ハンドル
１１  ハンドル部
１２  枢着部
１３  収納室
２０  第二ハンドル
２１  ハンドル部
２２  枢着部
２３  可動槽
２４  制限溝
２５  実装孔
２６  退避部
３０  調整座
３１  回動部
３２  ネジ孔
４０  調整スクリュー
４１  基座
４２  ネジ杆
４３  嵌設棒
４４  制限ブロック
５０  バネ
【図１】
0003159584.tif 000003
【図２】
0003159584.tif 000004
【図３】
0003159584.tif 000005
【図４】
0003159584.tif 000006
【図５】
0003159584.tif 000007
【図６】
0003159584.tif 000008